(57)【特許請求の範囲】
【請求項１】
固定枠と、
上記固定枠に対して光軸周りに回転することで上記固定枠に対して光軸方向に進退する回転枠と、
上記回転枠の内周面に後方より嵌入され、上記回転枠に対し光軸周りに相対回転し、且つ、光軸方向に一体的に変位する直進案内枠と、
上記回転枠の前端部の内周面の全周において形成された回転枠円周突条と、
上記回転枠における上記円周突条の後方において、当該回転枠の内周に設けられた係合突起と、
上記直進案内枠の前端部の外周面の略全周において形成され、上記回転枠の内周面に上記直進案内枠が嵌入された際、上記回転枠円周突条の後方に位置する直進案内枠円周突条と、
上記直進案内枠における上記直進案内枠円周突条に形成された、上記回転枠に当該直進案内枠を嵌入する際に、上記係合突起が挿入する切り欠き部と、
上記直進案内枠の外周面に形成された、上記係合突起と係合する円周溝と、
を具備し、
上記回転枠と上記直進案内枠とは、上記回転枠の内周面に上記直進案内枠が嵌入された際、当該回転枠の光軸方向の前端面と当該直進案内枠の光軸方向の前端面とが、光軸方向で略同じ位置において外部に向けて露呈するよう配置されると共に、上記回転枠円周突条が上記切り欠き部の前端部の露出を防ぐように覆う
ことを特徴とするレンズ鏡筒。
【発明の詳細な説明】
【技術分野】
【０００１】
本発明は、回転枠と該回転枠とともに進退する直進案内枠とを有するレンズ鏡筒の構造に関する。
【背景技術】
【０００２】
一般的に普及している沈胴式のレンズ鏡筒は、収納時にはカメラ本体内に収納され、撮影時にはカメラ本体から突出する構造を有している。また、沈胴式のレンズ鏡筒において、近年では撮影時に光学系の変倍動作のために進退する構造のものが一般的である。
【０００３】
上述のように進退するレンズ鏡筒の構成としては、ヘリコイドやカムが設けられた駆動枠と、この駆動枠と光軸方向には一体的に変位し、駆動枠に対し光軸周りに相対的に回動するとともに光軸方向に延出する直進ガイドを有する直進案内枠とを有する構造のものが一般的である。そして、上記駆動枠に設けられたヘリコイドもしくはカムと係合するとともに、上記直進案内枠に設けられた直進ガイドとに係合する被駆動枠を光軸方向に進退させている。
【０００４】
また、従来のレンズ鏡筒に対しては、フレアやゴーストなどを防ぐために不要光束がレンズ鏡筒内に侵入することがないような遮光性を有することも要求されている。そのために、例えば、上述した駆動枠と直進枠のうち一方のみをレンズ鏡筒の外部に露呈するような構成を採用することでレンズ鏡筒内に不要光束が侵入しないようにすることが一般的な構造である。
【０００５】
上述した従来のレンズ鏡筒の構造は、例えば、特許文献１，２に提案されている。
【特許文献１】特開平８−３１３７８８号公報である。
【特許文献２】特開２００４−２５２３６５号公報である。
【発明の開示】
【発明が解決しようとする課題】
【０００６】
近年ではカメラのさらなる小型化（薄型化）が求められている。したがって、レンズ鏡筒においても沈胴時の厚さ方向の寸法をより小さくすることが要求されている。
【０００７】
上述のように従来のレンズ鏡筒において、上記駆動枠と直進枠のうち一方のみをレンズ鏡筒外部に露呈するような構成とすると遮光性の面ては優れるが、一方の枠部材で他方の枠部材を覆うように構成する必要があるために小型化を図るのが困難である。
【０００８】
本発明は、上述の事情に鑑み、簡単な構成であって、沈胴状態のさらなる薄型化が可能なレンズ鏡筒を提供することを目的とする。
【課題を解決するための手段】
【０００９】
本発明のレンズ鏡筒は、固定枠と、上記固定枠に対して光軸周りに回転することで上記固定枠に対して光軸方向に進退する回転枠と、上記回転枠の内周面に後方より嵌入され、上記回転枠に対し光軸周りに相対回転し、且つ、光軸方向に一体的に変位する直進案内枠と、上記回転枠の前端部の内周面の全周において形成された回転枠円周突条と、上記回転枠における上記円周突条の後方において、当該回転枠の内周に設けられた係合突起と、上記直進案内枠の前端部の外周面の略全周において形成され、上記回転枠の内周面に上記直進案内枠が嵌入された際、上記回転枠円周突条の後方に位置する直進案内枠円周突条と、上記直進案内枠における上記直進案内枠円周突条に形成された、上記回転枠に当該直進案内枠を嵌入する際に、上記係合突起が挿入する切り欠き部と、上記直進案内枠の外周面に形成された、上記係合突起と係合する円周溝と、を具備し、上記回転枠と上記直進案内枠とは、上記回転枠の内周面に上記直進案内枠が嵌入された際、当該回転枠の光軸方向の前端面と当該直進案内枠の光軸方向の前端面とが、光軸方向で略同じ位置において外部に向けて露呈するよう配置されると共に、上記回転枠円周突条が上記切り欠き部の前端部の露出を防ぐように覆うことを特徴とする。
【発明の効果】
【００１２】
本発明によれば、簡単な構成であって、沈胴状態のさらなる薄型化が可能なレンズ鏡筒を提供することができる。
【発明を実施するための最良の形態】
【００１３】
以下、図を用いて本発明の実施形態について説明する。  
図１は、本発明の一実施形態のレンズ鏡筒の分解斜視図である。図２は、上記レンズ鏡筒のシャッタ／第二群ユニットの分解斜視図である。図３は、上記シャッタ／第二群ユニットの斜視図である。図４は、第三群／第四群／撮像部ユニットの分解斜視図である。図５，６，７は、それぞれ上記レンズ鏡筒の沈胴状態，ワイド状態，テレ状態での縦断面図である。図８は、上記レンズ鏡筒の回転枠と直進案内枠の外周部の展開図である。
【００１４】
なお、以下の説明において、本レンズ鏡筒の撮影レンズの光軸を光軸Ｏとし、該光軸Ｏに沿う方向の被写体側を前方とし、結像側（撮像素子側）を後方とする。また、回転方向は、被写体側から見た回転方向で示す。
【００１５】
本実施形態のレンズ鏡筒１は、図１に示すようにカメラ本体側に固定される固定枠２と、固定枠２の内周に嵌合して回転進退可能に支持される回転枠３と、回転枠３の内周に嵌合し、共に進退移動する直進案内枠４と、直進案内枠４の内方に挿入され、進退移動する第一群枠５と、直進案内枠４の内方に挿入され、進退移動するシャッタ／第二群ユニット３１と、固定枠２の後側内部に支持される第三群／第四群／撮像部ユニット３２と、固定枠２の外周部に支持されるズーム駆動ユニット３３とを有している。
【００１６】
固定枠２は、円筒形状の部材であり、内周部に光軸Ｏ方向に沿った直進溝２ｂと、カム溝２ａと、ズームギヤ２７が収納されるギヤ室２ｃが設けられている。外周部には、ズームモータ２５とギヤボックス２６とを有するズーム駆動ユニット３３が取り付けられる。
【００１７】
ギヤボックス２６に組み込まれたギヤ列の出力ギヤ（図示せず）がズームギヤ２７に噛合しており、ズームモータ２５の回転をズームギヤ２７に伝達する。
【００１８】
回転枠３は、円筒形状の枠部材であり、内周部に複数の第一群枠用カム溝３ｅと、複数の第二群枠用カム溝３ｆと、内周部前方に複数の係合突起３ｃとが設けられている。外周部後端部には、所定周範囲のギヤ部３ａと複数のカムフォロア３ｂが設けられている。
【００１９】
直進案内枠４は、円筒形状の枠部材であり、後端フランジ部４ｂに外方に突出する複数のガイド突起４ａが設けられ、光軸Ｏ方向に沿った内外周を貫通する直進案内貫通溝である複数の第一群ガイド溝４ｅおよび複数の第二群ガイド溝４ｆが設けられる。
【００２０】
さらに、前方部に係合突起の挿入口である複数の切り欠き４ｃが、直進案内枠４の外周上に周方向に沿って形成された円周突条４ｈに設けられる。円周突条４ｈは、周方向で第一ガイド溝４ｅおよび第二ガイド溝４ｆが設けられる位置にも形成されている。そして、該切り欠き４ｃに連通する円周溝である円周ガイド溝４ｄとが設けられる。なお、円周ガイド溝４ｄは、円周突条４ｈと円周突条４ｈから光軸方向に所定量離間して形成された円周段差部４ｉとの間に形成されている。
【００２１】
円周段差部４ｉは、直進案内枠４の外周から所定量の段差を持って形成されており、周方向で第一群ガイド溝４ｅおよび第二群ガイド溝４ｆを避けた位置に設けられている。切り欠き４ｃの周方向位置は、図８に示すように第一群ガイド溝４ｅおよび第二群ガイド溝４ｆに対して重ならない異なった位置である。上記複数のガイド突起４ａは固定枠２に組み付けられた状態でそれぞれ直進溝２ｂに係合する。これにより、直進案内枠４の固定枠２に対する光軸周りの回転が規制される。
【００２２】
直進案内枠４は、回転枠３の内周に後方側から嵌入され、回転枠３の係合突起３ｃを切り欠き４ｃから挿入し、円周ガイド溝４ｄに摺動可能な状態で嵌入させ、係合する（バヨネット構造）。この組み付け状態で直進案内枠４は、回転枠３に対して光軸Ｏ方向に相対移動しない状態で、かつ、相対回転可能に支持されるが、固定枠３に対して回転が規制されるので、回転することなく進退移動する。
【００２３】
そして、直進案内枠４と回転枠３のそれぞれの光軸方向の端部である前端面部４ｇ，３ｇは、光軸Ｏ方向の同一面上にあり、直進案内枠４の前端面部４ｇは、回転枠３によって覆われず、露呈している。
【００２４】
また、図５、６、７に示すように、前端面部３ｇの内周面３ｄは回転枠３の前端部に全周にわたって設けられた円周突条３ｈにより形成されている。この内周面３ｄは、直進案内枠４の前端面４ｇの外周に対して隙間のない状態で嵌合し、直進案内枠４の切り欠き４ｃは、その前方が回転枠３の円周突条３ｈによって覆われた状態になる。また、切り欠き４ｃの後方（光軸方向で重なった位置）には直進案内枠４に設けられた円周段差部４ｉが設けられている。従って、外光が切り欠き４ｃからガイド溝４ｅ，４ｆ側に進入することが防止されるとともに結像側への進入を防止できる。さらに、切り欠き４ｃとガイド溝４ｅ，４ｆとは、周方向で異なった位置に配されているので、漏れた外光が切り欠き４ｃから直接的にガイド溝４ｅ，４ｆへ達するのを防止できる。
【００２５】
切り欠き４ｃが設けられていない位置においては、回転枠３の円周突条３ｈと直進案内枠４の円周突条４ｈとが互いに重なるようになっており、効果的に外光の進入を防止できる。
【００２６】
上述した直進案内枠４を内周部に嵌入した回転枠３が固定枠２の内周部に挿入されると、回転枠３のギヤ部３ａはズームギヤ２７に噛合する。同時にカムフォロア３ｂは、固定枠２のカム溝２ａに嵌入する。従って、ズームギヤ２７の回転により回転枠３は、回転駆動され、回転しながらカム溝２ａに沿って光軸Ｏ方向に固定枠２内に収納された沈胴位置から撮影可能位置まで繰り出される。カム溝２ａは沈胴位置から撮影可能位置までの間に対応する部分と、撮影可能位置であって変倍動作中に対応する部分とでカムのリード角が異なっている。該撮影可能位置で更に回転枠３が回転すると、変倍動作中に対応するカムリードに沿って光軸Ｏ方向に変位しつつ変倍駆動が行われる。直進案内枠４は、光軸Ｏ方向に対しては、回転枠３と一体的に進退移動するが、固定枠２により回転が規制されて光軸Ｏ方向に移動する。
【００２７】
第一群枠５は、円筒形状の枠部材であり、前方部に開閉可能なバリア４１と、その後方に第一群レンズ４２が配され、後方外周部に突出する直進キー部５ａが設けられ、さらに、直進キー部５ａの上部にカムフォロア４８が固着されている。
【００２８】
シャッタ／第二群ユニット３１は、図１，２に示すようにシャッタ枠７と、第二群枠６と、フレア絞り８とを有し、１つのユニットとして組み立てられる。
【００２９】
シャッタ枠７には、ガイド溝７ｄ，ガイドピン７ｅを有し、シャッタアクチュエータ２９が組み込まれている。さらに、該アクチュエータ２９により開閉駆動されるシャッタ羽根４７がシャッタ蓋４６に覆われた状態で収納されている。またシャッタ枠７が外縁部には二つの当接面７ｆが設けられている。
【００３０】
第二群枠６には、第二群レンズ４３が保持されており、外方部に直進キー部６ａと該キー部上に固着されるカムフォロア６ｂと、前方に突出する爪部６ｃとが配され、さらに、光軸Ｏに沿ったガイド凸部６ｄおよびガイド穴６ｅが配されている。
【００３１】
シャッタ枠７は、第二群枠６のガイド凸部６ｄ，ガイド穴６ｅをガイド溝７ｄ，ガイドピン７ｅにそれぞれ嵌入させ、付勢バネ１０によって光軸Ｏ方向前方に付勢された状態で第二群枠６に対して相対移動可能に保持される。
【００３２】
シャッタ枠７が第一群枠５の後面で押圧されない状態（図６，７のワイド，テレ状態）では付勢バネ１０の付勢力で第二群枠６から前方に離間しており、その離間位置は、爪部６ｃが当接面７ｆに当接することによって位置決めされる。なお、沈胴状態では、シャッタ枠７は、第一群枠５の後面によりフレア絞り８を介して押圧され、第二群枠６に密着する（図５）。
【００３３】
フレア絞り８は、薄板リング形状の部材であり中央開口部８ａを有しており、フレア絞り付勢板バネ９により前方に付勢された状態でシャッタ枠７の前方に配されている。
【００３４】
フレア絞り付勢板バネ９は、弾性変形可能な金属薄板で形成され、円弧状取り付け部９ａと、該取り付け部９ａと連結部９ｃを介して連結され、傾斜面からなる円環状付勢部９ｂとを有している。円弧状取り付け部９ａの両端部には保持穴９ｄが配される。保持穴９ｄは、シャッタ枠７の係止突起７ｃと係合され、取り付け部９ａをシャッタ枠７上に固定支持する（図３）。
【００３５】
円環状付勢部９ｂの一端部がフレア絞り８の粘着部８ｂに接着固定されているので、フレア絞り８の前面が第一群枠３の後面で押圧されていない解放状態（自由状態）にあるとき、フレア絞り８は、図３に示すようにシャッタ枠７と所定の距離だけ離間した位置で光軸と直交する姿勢で保持される。フレア絞り８が該離間位置にあるとき、撮影時の不要光が第二群レンズ４３側に進入するのが防止される。また、フレア絞り８の前面が第一群枠３の後面で押圧された状態では（図５の沈胴状態，図７のテレ状態）、円環状付勢部９ｂが弾性変形して該円環状付勢部９ｂを挟んだ状態でフレア絞り８をシャッタ蓋４６側に密着させることができる。
【００３６】
第一群枠５およびシャッタ／第二群ユニット３１は、内周部に直進案内枠４が嵌入されている回転枠３に後方側から挿入される。
【００３７】
詳しくは、第一群枠５は、直進案内枠４の第一群ガイド溝４ｅにカムフォロア４８を挿通させた後、直進キー部５ａを摺動可能に嵌入させ、さらに、カムフォロア４８を回転枠３のカム溝３ｅに摺動可能に嵌入させて、直進案内枠４と回転枠３の内部に組み込まれる。
【００３８】
また、シャッタ／第二群ユニット３１は、直進案内枠４の第二群ガイド溝４ｆに第二群枠６のカムフォロア６ｂを挿通させた後、直進キー部６ａを摺動可能に嵌入させ、さらに、カムフォロア６ｂを回転枠３のカム溝３ｆに摺動可能に嵌入させて、直進案内枠４と回転枠３の内部に組み込まれる。
【００３９】
上述の第一群枠５およびシャッタ／第二群ユニット３１の組み込み状態にて回転枠３を回転駆動すると、第一群枠５およびシャッタ／第二群ユニット３１は、直進案内枠４によりともに回転規制された状態で回転枠３の移動に伴って沈胴位置から撮影可能な位置まで繰り出されるとともに回転枠３に設けられたカム溝３ｅ、３ｆに沿ってそれぞれ変位する。その後の、ズーム駆動時には、それぞれのズーム位置に進退移動する。
【００４０】
第三群／第四群／撮像部ユニット３２は、図１，４に示すように第三群レンズ４４を保持する第三群枠１１と、第四群レンズ４５を保持する第四群枠１２と、光学フィルタ２１と、撮像素子であるＣＣＤ２３と、ＣＣＤ固定板２４と、ホルダ地板１３と、フォーカスモータ２８と、フォトセンサ５１とを有し、１つのユニットとして組み立てられる。
【００４１】
第三群枠１１は、ガイド軸１５が摺動可能に嵌入するガイド穴１１ａと、送りネジ軸１６が貫通する穴部１１ｂと、ガイド突起部１１ｄとを有している。
【００４２】
第四群枠１２は、コの字形状の突出部を有しており、該突出部に配される軸穴１２ａおよび１２ｂとホルダ地板１３側の軸穴１３ａ、１３ｂにより摺動可能なガイド軸１５と回転可能な送りネジ軸１６が支持される。また、フォーカスモータ２８が組み込まれる。フォーカスモータ２８の出力ピニオン２８ａは、送りネジ軸１６を回転駆動するためのギヤ列１４に噛合する。また、第四群枠１２の結像面側の後端部からは、ホルダ地板１３、ＣＣＤ固定板２４とを位置決めするための２つの位置決めピン１２ｄが配されるとともに、ホルダ地板１３、ＣＣＤ固定板２４とを固定するための図示せぬ２つのビス穴が設けられている。なお、このビス穴はそれぞれボス状の突起に形成されている。
【００４３】
ホルダ地板１３は中央部にＣＣＤ２３を挿通させる開口部１２ａが形成された薄板状の部材であって、本実施形態においては金属製のプレス部品である。さらに、ホルダ地板には、第四群枠１２の位置決めピン１２ｄが挿通される位置決め丸穴１３ｄと位置決め長穴１３ｅとが形成される。さらに、上記開口１３ｃと連通して第四群枠１２のビス穴ボスが挿通される２つの切り欠き１３ｈが形成される。さらにホルダ地板１３の外縁部には、固定枠２に設けられた位置きめピンがそれぞれ挿通される位置決め丸穴１３ｆ、位置決め長穴１３ｇが形成されるとともに、固定枠２にビスで固定するための複数のビス用挿通穴１３ｉが形成されている。
【００４４】
ＣＣＤ固定板２４は、ＣＣＤ２３が固着される板であって、第四群枠１２の位置決めピン１２ｄが挿通される位置決め丸穴２４ａ、位置決め長穴２４ｂと、第四群枠１２に固定するためのビス５０が挿通されるビス挿通穴２４ｃが設けられている。
【００４５】
このような構成において、第四群枠１２の位置決めピン１２ｄがホルダ地板１３の位置決め丸穴１３ｄ、位置決め長穴１３ｅ、および、ＣＣＤ固定板２４の位置決め丸穴２４ａ、位置決め長穴２４ｂとに挿通されることで、ＣＣＤ２３が固着されたＣＣＤ固定板２４およびホルダ地板１３が第四群枠１２に対し位置決めされる。この状態で、第四群枠１２のビス用ボスは、ホルダ地板１３の切り欠き１３ｈを通ってＣＣＤ固定板２４まで延出している。そしてビス５０により、ＣＣＤ固定板２４と第四群枠１２との間にホルダ地板１３が挟着された状態でこれら３つの部材が一体となるように固定される。
【００４６】
ガイド軸１５には第三群枠１１の軸穴１２ａが嵌入し、付勢バネ１８が挿入される。該付勢バネ１８により第三群枠１１は、前方に付勢される。また、第三群枠１１は、ガイド軸１５の対向位置でガイド突起部１１ｄを第四群枠１２のガイド溝１２ｃに摺動可能に嵌入させ、光軸Ｏまわりに回転規制された状態で支持されている。一方、送りネジ軸１６には、ナット１７が螺合している。該ナット１７は、第四群枠１２に光軸方向に延出して形成されたガイド溝と係合することで回転規制されている。このような構成により、第三群枠１１は付勢バネ１８の付勢力で当接している。この状態で送りネジ軸１６を回転させることでナット１７が光軸Ｏ方向に変位すると第三群枠１１も光軸Ｏ方向に一体的に移動する。
【００４７】
第四群枠１２は、第三群枠１２が組み付けられた状態でホルダ地板１３の前面に位置決めされ、ビスにより固定される。上記組み付け状態でフォーカスモータ２８により送りネジ軸１６が回転駆動されると、第三群枠１１は、ナット１７を介して光軸Ｏ方向に進退駆動（フォーカシング駆動）される。第三群枠１１の移動位置は、第四群枠１２に支持されたフォトセンサ５１により突起部１１ｃを検出することにより検知される。
【００４８】
第三群枠１１と第四群枠１２とが装着されたホルダ地板１３は、固定枠２の背面にビスにより固定される。
【００４９】
ＣＣＤ固定板２４に固定されたＣＣＤ２３は、光学フィルタ２１とともに封止枠部材２２により周囲から封止された状態でホルダ地板１３の開口部１３ｃを介して第四群枠１２に組み込まれ、結像位置に固定される。
【００５０】
このように、本実施形態においてはＣＣＤ２３や、第四群レンズ４５、光学フィルタ２１といった撮像素子と光学部材とを保持する保持部（第四群枠１２）と、これら撮像素子及び光学部材を有する撮像部ユニットである第三群／第四群／撮像部ユニット３２を固定枠２に固定する固定部（ホルダ地板１３）とを別部材により構成している。特に本実施形態においては、ホルダ地板１３を薄板状に形成しているのでレンズ鏡筒１の薄型化を図ることが出来る。
【００５１】
上述した構成を有する本実施形態のレンズ鏡筒１の進退動作について、図５〜７を用いて説明する。
【００５２】
レンズ鏡筒１が沈胴状態にあるときは、図５に示すようにフォーカスモータ２８の駆動により第四群枠１２に対して第三群枠１１が略接するように繰り込まれている。また、回転枠３は、ズームモータ２５の駆動により回転駆動され、直進案内枠４とともに固定枠２内部に光軸Ｏ方向の隙間の少ない沈胴位置まで繰り込まれている。この状態では、回転枠３と直進案内枠４の前端面３ｇ，４ｇは、同一面を形成しており、ともに前面に露呈している。この状態は撮影可能な位置に繰り出されたときも同様である。
【００５３】
一方、第一群枠５および第二群枠６は、回転枠３の回転および繰り込みに応じて同様に沈胴位置に繰り込まれている。そして、フレア絞り８とシャッタ枠７は、沈胴位置にある第一群枠５のレンズ保持部の後面により後方に押圧され、付勢バネ１０および付勢板バネ９が撓む。フレア絞り８は、シャッタ蓋４６に接近し、シャッタ枠７も第二群枠６に密着した位置に移動している。この沈胴繰り込み状態では、第１群枠３からＣＣＤ２３まで光軸Ｏ方向の隙間がほとんどない状態に保持される。
【００５４】
この沈胴状態においてシャッタ羽根４７は開位置となりシャッタ開口が開放されている。そして、撮影光学系の一部を形成する第二群レンズ４３の一部が、シャッタ開口およびフレア絞り８の開口部８ａに進入した状態にある。これにより、沈胴状態での各部材の光軸方向の間隔を狭めることができ、より薄型の鏡枠を実現することができる。
【００５５】
上記沈胴状態から撮影可能なワイド状態とするためにズームモータ２５が駆動されると、図６に示すように回転枠３は回転駆動され、光軸Ｏ方向の撮影可能なワイド位置まで繰り出される。直進案内枠４は、回転規制状態で回転枠３と一体で繰り出される。一方、第一群枠５および第二群枠６は、回転枠３の回転および繰り出しに伴って回転規制状態でワイド位置に繰り出される。シャッタ枠７は、第二群枠６に対して爪部６ｃで規制された位置まで移動する。フレア絞り８もその前面側が第一群枠５の後面から離れることから付勢板バネ９の付勢力により絞り位置までシャッタ蓋４６から離間する。
【００５６】
さらに、テレ状態にするためにズームモータ２５が駆動されると、回転枠３が回転方向のみ駆動され、図７に示すように第一群枠５および第二群枠６とがカム溝３ｅ，３ｆに沿ってテレ位置に移動する。そのとき、第二群枠６が第一群枠５に接近するように繰り出されるので、フレア絞り８は、付勢板バネ９が撓んでシャッタ蓋４６側に付勢板バネ９とともに略密着する状態になる。シャッタ枠７は、付勢板バネ９よりも付勢力の強い付勢バネ１０で押圧されていることから付勢板バネ９が撓んだ状態のままの状態で第二群枠６とともに繰り出される。
【００５７】
このようにフレア絞り８を付勢するバネの付勢力をシャッタ枠７を付勢するバネの付勢力よりも小さくすることで、レンズ鏡筒１が撮影可能状態にあるときのシャッタ枠７の第二群枠６に対する光軸方向の位置を安定して保つことができる。
【００５８】
一方、フォーカシングを行うためにフォーカスモータ２８が駆動されると、送りねじ軸１６が回転駆動され、第三群枠１１が被写体距離に応じたフォーカシング位置に駆動される。
【００５９】
本実施形態のレンズ鏡筒によれば、回転枠３は、その前端部において直進案内枠４を覆うことなく、双方の前端面３ｇ，４ｇを露呈した状態となっているので、直進案内枠４を覆うための枠部材の厚みが不要となり、沈胴状態におけるレンズ鏡筒の光軸Ｏ方向の長さ短くすることができ、レンズ鏡筒の小型化（薄型化）が実現できる。
【００６０】
また、回転枠３の係合突起３ｃを挿入するための直進案内枠４側の切り欠き４ｃが回転枠３の前端面３ｇで覆われるので、該切り欠き４ｃからの外光の進入が防止される。そして、切り欠き４ｃと第一，二群ガイド溝４ｅ，４ｆとの周方向位置をずらしていることから嵌合隙間から切り欠き４ｃを通して漏れる外光が第一，二群ガイド溝４ｅ，４ｆまで進入するのを抑えることができる。
【００６１】
さらに、フレア絞り８をシャッタ枠７に対して薄板状の付勢板バネ９を介して取り付ける構成を採用しているために第一群枠と第二群枠６とが離間した状態では、フレア絞り８が第二群枠６から適切な距離だけ離間し、フレア絞りとして機能させ、沈胴状態ではフレア絞り８をシャッタ蓋４６に密着させることによりフレア絞りまわりの光軸Ｏ方向の占有寸法を減じることができる。
【００６２】
この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【産業上の利用可能性】
【００６３】
本発明のレンズ鏡筒は、簡単な構成であって、沈胴状態のさらなる薄型化が可能なレンズ鏡筒として利用が可能である。
【図面の簡単な説明】
【００６４】
【図１】本発明の一実施形態のレンズ鏡筒の分解斜視図である。
【図２】図１のレンズ鏡筒のシャッタ／第二群ユニットの分解斜視図である。
【図３】図２のシャッタ／第二群ユニットの斜視図である。
【図４】図１のレンズ鏡筒の第三群／第四群／撮像部ユニットの分解斜視図である。
【図５】図１のレンズ鏡筒の沈胴状態での縦断面図である。
【図６】図１のレンズ鏡筒のワイド状態での縦断面図である。
【図７】図１のレンズ鏡筒のテレ状態での縦断面図である。
【図８】図１のレンズ鏡筒における回転枠と直進案内枠との外周部の展開図である。
【符号の説明】
【００６５】
２  …固定枠
３  …回転枠
４  …直進案内枠
４ｄ…円周ガイド溝（円周溝）
３ｃ…係合突起
４ｃ…切り欠き（挿入口）
４ｅ…第一群ガイド溝（直進案内貫通溝）
４ｆ…第二群ガイド溝（直進案内貫通溝）
【図１】
0004804155.tif 000002
【図２】
0004804155.tif 000003
【図３】
0004804155.tif 000004
【図４】
0004804155.tif 000005
【図５】
0004804155.tif 000006
【図６】
0004804155.tif 000007
【図７】
0004804155.tif 000008
【図８】
0004804155.tif 000009